(57)【特許請求の範囲】
【請求項１】
紙質材、ソリッド又は発泡プラスチック、薄い段ボール、厚手のアルミ箔等のシート状の材料からなる基板(1)に、点線状の切れ目(１１１)と折曲部(１１２)とからなる親指挿入部(１１)、複数の点線状の切れ目(１２１)と円形の折曲部（１２２）とからなるコップ挿入部(１２)及び底部(１３１)と側部(１３２)とからなる食品載せ部(１３)を設けた立食パーティー用盆に可変の簡易皿。
【請求項２】
基板(１)の全周に、基板(１)に対して鈍角の大側壁(１５)を設けた、請求項１に記載の立食パーティー用盆に可変の簡易皿。
【請求項３】
大側壁(１５)の外側に水平部(１５１)又は水平部(１５１)及び垂下部（１５２）を設けた、請求項２に記載の立食パーティー用盆に可変の簡易皿。
【請求項４】
底部(１４１)と側部(１４２)とからなる掬い具収納部（１４）を設けた、請求項１から請求項３までのいずれか１項に記載の、立食パーティー用盆に可変の簡易皿。
【発明の詳細な説明】
【技術分野】
【０００１】
本発明は、立食パーティー用盆に可変の簡易皿に関する。詳しくは、点線状の切れ目を切り開き、必要に応じて切り取ったり、折り曲げたりすると、立食パーティー用盆に変えることができる簡易皿に関する。立食パーティー用盆とは、立食パーティー等の際に食べ物や飲み物等を載せるものである。簡易皿とは、一時的に食品等を載せて飲食し、使用後は廃棄する皿のことをいう。
【背景技術】
【０００２】
従来、立食パーティーやバーベキュー会等に際して使用する立食パーティー用盆(皿やコップを載せるもの。従来技術では、トレー又はトレイとしたものが多い。)は、種々提案されている。例えば、実登３１１０４６４号「立食パーティー用片手トレイ」公報は、グラスを入れるグラス収容部、手で握る個所である把持体部、フォーク・スプーン・箸を収容する掴み具収容部、そしてこれらの中央部に料理収容室を設ける。実登３０９７９８０号「立食パーティー等の際に使用する片手用トレイ」公報は、親指穴に親指を通し、人差指とで支え、コップ差込部、箸・フォーク置部、料理を盛った皿を置く皿受部を設ける。(クレーム２は、使い捨てタイプ)。実開平４−３６８７９号「組立て式ハンドトレイ」公報は、親指を通す透孔、コップをはめる係止孔、切れ目を入れた厚紙を組み立てて、食品を載せる凹所を作る使い捨てタイプである。実登３０３２２９２「コップ受け付き紙皿」号公報は、一体成型されたコップ受け付き紙皿で、中間の断熱材パッドと親指穴を備えていて手で保持でき、食品とコップを同時に置くことができる。等がある。構造も簡単なものから複雑なものまでいろいろある。材質も紙質、プラスチック、金属箔等いろいろのものがある。
【０００３】
立食パーティー、バーベキュー会等の際、これら立食パーティー用盆が使用される状況を考えてみると、料理を載せた皿と飲み物が入ったコップ(グラス)を手に持っているとき、料理を食べようとすると箸やフォークを使うためには、コップをテーブルに置かねばならない。ところが最近では参加者が多くて、なかなかテーブルに近づけないことが多い。そのため皿とコップとを載せるものが要望される。ところが普通の盆では、少し傾くと、コップが動くなどの問題が生じるので、上記の立食パーティー用片手トレイ等が提案されている。
【０００４】
立食パーティーとは、立食パーティー、バーベキュー会等のように、複数の者が集まって、各自が用意された料理や飲み物等の好みのものを取って、飲食しながら会話を楽しむものをいう。立食パーティーは、通常夕方勤務終了後に開催される。朝家を出るときに、これら立食パーティー用トレイを持って出ることは、面倒であり、まずしない。又、使用後汚れたパーティー用のトレイを洗って持って帰るのもやりにくい。主催者側が用意してくれるとありがたい。
【０００５】
又、主催者側にとっては、安価で使い捨てのものがよく、燃えるゴミとして出せるものがあると好都合である。
【０００６】
立食パーティーでは盆ではないが、料理を載せるのに紙質材等の使い捨て皿(簡易皿)を使用することが多い。
【０００７】
大型の使い捨て皿が、必要に応じて立食パーティー用盆に変えられると便利である。
【０００８】
従来、使い捨て皿等のような、１回しか使用しない簡易食器に、ミシン目等のような切れ目を入れておき、必要に応じてこの切れ目を切り、折り曲げ又は切り取って、立食パーティー用の盆に変えられるものはなかった。
【先行技術文献】
【特許文献】
【０００９】
【特許文献１】実登３１１０４６４号「立食パーティー用片手トレイ」公報
【特許文献２】実登３０９７９８０号「立食パーティー等の際に使用する片手用トレイ」公報(クレーム２は、使い捨てタイプ)
【特許文献３】実開平４−３６８７９号「組立て式ハンドトレイ」公報(使い捨てタイプ)
【特許文献４】実登３０３２２９２「コップ受け付き紙皿」号公報
【発明の概要】
【発明が解決しようとする課題】
【００１０】
バーベキュー会や立食パーティーでは、片手に料理・つまみ等を載せた皿を持ち、もう一方の手で飲み物のコップを持つことが多い。皿に載せた料理を箸・フォーク・スプーン等で食べるときには、コップをテーブルの上に置かねばならない。料理と飲み物の両方を手にしたときには、箸等の置き場にも困る。又、昨今では、立食パーティーの参加者が多くて、テーブルになかなか近付けないことも多いのが実情である。
【００１１】
立食パーティー、バーベキュー会等用に片手で持てて、ビール等の飲み物や各種料理を載せられる便利な盆(トレー)がいろいろ提案されている。しかし、立食パーティー等は、平日の夕方に開かれることが多く、出勤帰りが多い。従って、朝出勤時にこのようなプラスチック製の立派な盆(トレー)を持って家を出ることには、抵抗が大きいのが実情である。更に、汚れたトレーを洗って、持ち帰るのもむつかしい。又、厚紙製の使い捨てのトレーも提案されているが、普及していないのが実情である。一方、紙類で作られた、使い捨てタイプの紙皿は、非常に普及している。
【００１２】
安価で使い捨てタイプの立食パーティー用盆があれば、便利である。更に、可燃ゴミ等として捨てることができれば、好都合である。主催者が用意しておき、使用後はゴミとして出せれば、参加者は手ぶらで参加できる。更に、飲み物を取らないときには、複数の料理を載せる取り皿としても利用できれば、兼用できて、好都合である。又、バーベキュー会や立食パーティーでない時にも使い捨て取り皿として使用できるので便利である。従来、紙等でできた使い捨てタイプの立食パーティー用盆は、提案されている。しかし、立食パーティー用盆と使い捨てタイプである紙皿との兼用のものはなかった。
【００１３】
本発明が解決しようとする課題は、これらの問題点を解決し、そのままでは紙皿のように使い捨ての取り皿として使用でき、且つ点線状の切れ目を切り開き、折曲部を折り曲げ又は切り取ると、立食パーティー用の盆としても使用できる、立食パーティー用盆に可変の簡易皿を提供することである。  
【課題を解決するための手段】
【００１４】
本発明は、紙皿のように使い捨ての取り皿と少し手を加えて立食パーティー用盆との両方に使えることを特徴とする。
【００１５】
請求項１に係る立食パーティー用盆に可変の簡易皿は、紙質材、ソリッド又は発泡プラスチック、薄い段ボール、厚手のアルミ箔等のシート状の材料からなる基板1に、点線状の切れ目１１１と折曲部１１２とからなる親指挿入部１１、複数の点線状の切れ目１２１と円形の折曲部１２２とからなるコップ挿入部１２及び底部１３１と側部１３２とからなる食品載せ部１３を設けたものである。
【００１６】
紙質材は、パルプから造られるもので、紙・厚紙の外、市販の紙皿・使い捨て皿に使用されているサトウキビの搾りかす(バガス)から造られるもの等も含む。プラスチックは、ポリエチレン、ポリプロピレン、ポリスチレン、ポリ塩化ビニール、ＰＥＴ、ＥＶＡ等プラスチック全般を含む。ソリッドは、充実体で非発泡、発泡は気泡を含むものである。厚手のアルミ箔は、補強リブを付けると強度が向上するし、大側壁１５・水平部１５１・垂下部１５２を付けたり、先端を丸め込んだりすると曲げ強度は向上する。点線状の切れ目は、ミシン目状の切れ目をいう。ミシン目状に針孔状の孔や図１から図４に示すように、細長いカット部(打ち抜き部)を入れたものであるが、基材１の厚みを部分的に削って薄くしたり、プレス等で薄くする等したりして、切れ易くしたものも含む。基板１の厚みは、材質、断面形状も勘案して曲がらないものを選定する。
【００１７】
点線状の切れ目の上に水を入れてみたが、漏水はなかった。切れ目の幅を厚くしてみると、漏水したが、撥水剤を塗布すると漏水は止まった。紙皿代わりの取り皿として使用するとき、通常、親指挿入部１１やコップ挿入部１２に水やお茶を入れることはなく、液状物を入れるにしてもどろっとしたもの(粘度の高いもの)を入れるので、実際上は問題ない。
【００１８】
基板１の平面形状は、四角形に限らず、円形、楕円形、小判形(長方形の両端に半円が付いたもの)、三角形、不定型の曲線で囲まれたもの等他の形状でもよい。
【００１９】
請求項２に係る立食パーティー用盆に可変の簡易皿は、基板１の全周に、基板１に対して鈍角の大側壁１５を設けた、請求項１に記載のものである。
【００２０】
基板１に対して鈍角とは、テーブル上に置いたとき、左右の大側壁１５が上方に広がった状態をいう。積み重ね可能である。
【００２１】
請求項３に係る立食パーティー用盆に可変の簡易皿は、大側壁１５の外側に水平部１５１又は水平部１５１及び垂下部１５２を設けた、請求項２に記載のものである。
【００２２】
大側壁１５の外側に水平部１５１を設けたものは、大側壁１５の補強効果が向上する他に、水平部１５１に名前を書くことができる。親指挿入部１１を上にした状態で名前を書くと、立食パーティーの他の参加者が名前を読み易い。名前を書いておくと、テープル等に置いたとき、間違わなくなる他に、紹介されたばかりの人等に対しても親切である。又、水平部１５１及び垂下部１５２を設けたものは、補強効果が更に増すし、積み重ねることもできる。水平部１５１に名前を書くこともできる
【００２３】
請求項４に係る立食パーティー用盆に可変の簡易皿は、底部１４１と側部１４２とからなる掬い具収納部１４を設けた、請求項１から請求項３までのいずれか１項に記載のものである。
【００２４】
掬い具は、箸、フォーク、スプーン等食品を食べるときに使用する道具をいう。箸は、挟むものであるが、フォーク、スプーンに合わせて掬うものに入れた。他にトング等の挟むものを含めてもよい。掬い具収納部１４は、箸等を置くところである。
【発明の効果】
【００２５】
請求項１の発明は、そのままの状態で、紙皿のような使い捨て食器として使用でき、少々手を加えることにより、立食パーティー用盆として使用できるという効果がある。即ち、紙皿と立食パーティー用盆との両方に使用できるという効果がある。
【００２６】
請求項２の発明は、請求項１の効果の他に、大側壁１５を設けたことにより基板１が変形しにくいという効果がある。
【００２７】
請求項３の発明は、大側壁１５の外側に水平部１５１又は水平部１５１及び垂下部１５２を設けたため、請求項2の発明よりも更に基板１が変形しにくいという効果がある。
【００２８】
請求項４の発明は、掬い具収納部１４を設けたため、使用中に掬い具を置き易いという効果がある。
【図面の簡単な説明】
【００２９】
【図１】実施例１の立食パーティー用盆に可変の簡易皿及び使用状態を示す斜視図、断面図及び平面図である。
【図２】実施例2の立食パーティー用盆に可変の簡易皿及び使用状態を示す斜視図及び断面図である。
【図３】実施例３の立食パーティー用盆に可変の簡易皿を示す斜視図及び断面図である。
【図４】実施例４の立食パーティー用盆に可変の簡易皿を示す斜視図及び断面図である。
【発明を実施するための形態】
【００３０】
紙皿と立食パーティー用盆との両方に使用できるものを提供するという目的を紙質材、ソリッド又は発泡プラスチック、薄い段ボール、厚手のアルミ箔等のシート状の材料からなる基板1に、点線状の切れ目１１１と折曲部１１２とからなる親指挿入部１１、複数の点線状の切れ目１２１と円形の折曲部１２２とからなるコップ挿入部１２及び底部１３１と側部１３２とからなる食品載せ部１３を設けた立食パーティー用盆に可変の簡易皿により実現した。以下、発明を実施するための最良の形態を実施例により説明する。実施例１と実施例２は、板状の基板１に親指挿入部１１、コップ挿入部１２及び食品載せ部１３を設けたもの、実施例３はこれらに大側壁１５、水平部１５１、垂下部１５２を加えたもの、実施例４は基板１が円形のものである。
【実施例１】
【００３１】
実施例１の立食パーティー用盆に可変の簡易皿を図1に基づいて説明する。図1の（Ａ）は、実施例１の立食パーティー用盆に可変の簡易皿を示す斜視図である。点線で示すものは、ミシン目状の切れ目である。必要に応じて、近くを押さえて切り開く。何もしなければ、そのまま板状を保つ。二重線で示すものは、折曲部である。必要に応じて、上下どちらかに折り曲げる。切り取ってもよい。
【００３２】
長方形で板状の基板1は、飲物を入れたコップ２や食品(料理)を載せても曲がらない。コーナー部近くにU字形の点線状(ミシン目状)切れ目１１１と折曲部１１２とからなる親指挿入部１１を設ける。折曲部１１２は、プレスで線状の凹部を付ける。１本でもよいが、２本の方がスムーズに折れ曲り易い。上に曲げた方が使い易い。折曲部１１２で切り取ってもよい。親指挿入部１１の対角部近くに円形の折曲部１２２とこの円の中心を通る複数の直線状の点線状切れ目１２１とからなるコップ挿入部１２を設ける。折曲部１２２は、    親指挿入部１１の折曲部１１２と同様であるが、下に折り曲げる。折曲部１２２で切り取ってもよい。点線状切れ目１２１は、等間隔で６本設けるのが望ましい。互いの角度は３０度になる。４本で、角度４５度でもよい。親指挿入部１１とコップ挿入部１２以外のスペースに、凹状の食品載せ部１３を適当数設ける。食品載せ部１３は、平板状の底部１３１と斜めに形成された側部１３２とで形成されている。食品載せ部１３の平面形状は、自由に変えてよい。底部１３１は、基板１と平行である。底部１３１と基板１とが平行であるので、コップ２を外して、この簡易皿をテーブルの上に置いたときには安定している。食品載せ部１３には、酒、ピール等のつまみ類や料理を載せる。料理は、小皿に盛ったものを載せてもよい。
【００３３】
基板１の材質と厚さとには、飲み物が入ったコップを載せても変形しないような強さが必要で、材質はソリッド・発泡プラスチック、パルプから作られた紙質性材料、段ボール等がある。厚さも各材質に応じた強度を保つよう選択する。
【００３４】
（Ｂ）は、（Ａ）のＸ―Ｘ線断面図である。食品載せ部１３が凹状で、平板状の底部１３１と斜めに形成された側部１３２とで形成されていることを示す。上方に向かって広がった断面形状なので、複数のものが積み重ね可能である。
【００３５】
（Ｃ）は、（Ａ）の親指挿入部１１の切れ目１１１を切り開き、折曲片１１３を上方に折り曲げ、又コップ挿入部１２の切れ目１２１を切り開いて、下方に折り曲げたところを示す斜視図である。
【００３６】
（Ｄ）は、（Ｃ）の親指挿入部１１に親指３１を入れ、上方に折り曲げた折曲片１１３の上に親指３１を載せて押え、コップ挿入部１２にコップ２を入れたところを示す斜視図である。親指挿入部１１に親指３１を入れて、他の４本の指は、基板１の下側に当てて、コップ、食品(料理)の重量を支える。下側の親指以外の４本の指は、広げた方が安定性がよい。下側の４本の指があるので、ビール等の入ったコップがあっても、重量は十分支えられる。親指挿入部１１がコーナー部にあり、コップ挿入部１２がその対角部にあり、下側の４本の指先がコップ挿入部１２の近くまで来ているので、重量感はあまりなく安定性がよい。3は手を示す。図では腕に近いが、もう少し上の基板１で隠された部分を指すべきである。
【００３７】
使用方法は、簡易皿として使用する際は、食品載せ部１３に食品４を載せて、通常の紙皿と同様に使用する。立食パーティー用盆として使用するときは、親指挿入部１１の切れ目１１１近くを押して、切り開き、折曲片１１３を上方に折り曲げる。ここに親指３１を下から入れて、折曲片１１３の上から押さえる。親指３１の下側に折曲片１１３があるので、厚みを感じ、掴み易くなり、親指３１に力が入って、安定感が増す。後記の実施例２(図２)や実施例３（図３）では、堤部１３３があり、折曲片１１３の下に堤部１３３が入って、厚みを増すので、親指以外の４本の指を広げることと相俟って、更に安定感が増す。コップ挿入部１２の切れ目１２１を同様に切り開いて、下方に折り曲げる。こうしてできたコップ挿入部１２の穴にコップ２をはめる。食品載せ部１３に食品４を載せる。使用前は、積み重ね可能なので、保管に場所をとらない。
【００３８】
（Ｅ）は、別のコップ挿入部１２を示す平面図である。折曲部１２２が二重になっているものである。その他は(A)のものと同じである。コップ２の大小に対応し易い。即ち、コップ２が小さいときは、内側の直径小の折曲部１２２を利用し、コップ２が大きいときは、外側の直径大の折曲部１２２を利用する。２段階に対応できる。折曲部１２２を三重にしてもよい。コップ２の大小に３段階に対応できる。
【００３９】
実施例１の立食パーティー用盆に可変の簡易皿は、そのままの状態で市販の紙皿のように、料理を小分けする取り皿として使用してもよいし、上記説明のように、立食パーティー用盆として、親指挿入部１１の切れ目１１１を切り開いて、親指３１を入れ、同様にして、コップ挿入部１２にコップ２をはめて使用してもよい。簡易皿と立食パーティー用の盆(従来技術の表現ではトレー)との両方に使用できるという効果がある。
【００４０】
厚手のアルミ箔に補強リブを付け、周辺を小さく丸めて、補強したものを使用してもよい。
【実施例２】
【００４１】
実施例２の立食パーティー用盆に可変の簡易皿を図２に基づいて説明する。図２の（Ａ）は、実施例２の立食パーティー用盆に可変の簡易皿を示す斜視図である。実施例１のものと異なる箇所は、コップ挿入部１２が窪んだ凹部になり、食品載せ部１３が堤部１３３により形成され、底部１３１が基板１と同一平面になることである。その他は、実施例１と同様である。
【００４２】
（Ｂ）は、（Ａ）のＸ―Ｘ線断面図である。コップ挿入部１２が凹部になり、食品載せ部１３が堤部１３３により形成されていることを示す。
【００４３】
（Ｃ）は、（Ａ）の親指挿入部１１に、実施例１のものと同様にして、親指３１を入れ、上方に折り曲げた折曲片１１３の上に親指３１を載せて押え、コップ挿入部１２にコップ２を入れたところを示す斜視図である。コップ挿入部１２が窪んだ凹部になっているので、コップが少し低くなり、安定感が増し、食品載せ部１３が堤部１３３により形成されている。前記のように、折曲片１１３の下に堤部１３３が入り、厚みを増すので、安定感が増す。その他は、実施例１と同様である。
【００４４】
使用方法は、実施例１の場合と同様である。
【実施例３】
【００４５】
実施例３の立食パーティー用盆に可変の簡易皿を図３に基づいて説明する。図３の（Ａ）は、実施例３の立食パーティー用盆に可変の簡易皿を示す斜視図である。実施例１及び実施例２のものと異なる箇所は、基板１の全周に大側壁１５を設け、食品載せ部１３の境界(仕切り)のために堤部１３３を設けたことである。大側壁１５は、基板１に対して直角ではなく鈍角で、上方に開いた傾斜となっている。堤部１３３の断面形状は、逆V字形になっている。堤部１３３の断面形状は、文字通り逆Ｖ字形で尖っていてもよいし、図のように先端を少し削って、上部が平らになっていてもよい。又は、丸みがあってもよい。食品載せ部１３の断面形状も上方に開いた形になっている。積み重ね可能である。材料に厚手のアルミ箔も使用してよい。
【００４６】
（Ｂ）は、（Ａ）のＸ―Ｘ線断面図である。大側壁１５が基板１に対して鈍角で、コップ挿入部１２と食品載せ部１３との境界が堤部１３３により形成されていることを示す。
【００４７】
（Ｃ）は、（Ａ）のものの大側壁１５の上部に水平な水平部１５１を設け、コップ挿入部１２が窪んだ凹部になったものである。大側壁１５の上部に水平な水平部１５１を設けたので、大側壁１５の補強効果が更に強化される。水平部１５１の幅は、１ｃｍ位でよいが、変えてもよい。ここに図に示すように、名前を書いてもよい。名前を書いておくと、テープル等に置いたとき、他人のものと区別できることの他に、図のように親指挿入部１１の反対側から読み易い向きで名前を書いておくと、紹介されたばかりの人のように名前を十分知られていない人に名前を知らせ、会話がスムーズに進む効果もある。１ｃｍ位の幅でも前に立っている人は、名前を十分読み取れる。
【００４８】
（Ｄ）は、（Ｃ）のＹ―Ｙ線断面図である。大側壁１５が基板１に対して鈍角で、その上部に水平部１５１が付き、コップ挿入部１２が窪んだ凹部になっていることを示す。
【００４９】
（Ｅ）は、（Ｃ）のものの水平部１５１の外側に垂下部１５２を設け、コップ挿入部１２を窪んだ凹部になったものから(A)のような底部が基板１と同じレベルのものにし、箸、フォーク、スプーン等の掬い具を入れる掬い具収納部１４を設けたものの斜視図である。垂下部１５２は、水平部１５１に対して鈍角で外側に広がっている。掬い具収納部１４の仕切りは、堤部で行い、その側面が側部１４２である。掬い具収納部１４の親指挿入部１１の反対側の側壁１４３に、ハの字形に掬い具固定切れ目１４４を設けてもよい。（Ｃ）のものと同様、水平部１５１に名前を書いてもよい。
【００５０】
（Ｆ）は、（Ｅ）のＺ―Ｚ線断面図である。大側壁１５が基板１に対して鈍角で、その上部に水平部１５１が付き、水平部１５１の外側に垂下部１５２を設け、コップ挿入部１２が窪んだ凹部から底部が基板１と同じレベルになり、掬い具置き部１４を設けていることを示す。掬い具収納部１４の側壁１４３に設けた掬い具固定切れ目１４４は、図のようなハの字形の他に、逆ハの字形にしてもよいし、間隔を空けて垂直の切れ目２本にしてもよい。ハの字形の場合は、掬い具が外に飛び出すのを防止する効果がある。逆ハの字形や間隔を空けて垂直の切れ目２本のものは、掬い具を取り出すときに引っかからないという効果がある。底部が同一平面なので、テーブルに置いたときに安定がよい。大側壁１５を設けたものや更に水平部１５１、垂下部１５２を設けたものは、基板１の補強効果があるので、基板１の厚みを薄くでき、コストダウンができる効果がある。
【００５１】
水平部１５１の先に設けた垂下部１５２は、図に示すように外側に広がっており、積み重ね可能である。垂下部１５２には、水平部１５１の補強効果がある。なお、実施例１や実施例２のように、大側壁１５がない場合は、掬い具収納部１４は、実施例１のときは、窪ませた凹部にし、実施例２のときは、堤部１３３で形成する。
【実施例４】
【００５２】
実施例４の立食パーティー用盆に可変の簡易皿を図４に基づいて説明する。図の（Ａ）は、実施例４の立食パーティー用盆に可変の簡易皿を示す斜視図である。実施例１から実施例３のものと異なる箇所は、基板１の平面形状が長方形から円形に変わったことである。周囲には、輪の形をした縁部１６を設ける。その他は、実施例１から実施例３のものと同様である。縁部１６近くに、点線状の切れ目１１１と直線状の折曲部１１２とからなる親指挿入部１１を設け、円の中心を挟んで親指挿入部１１の反対側に、点線状の切れ目１２１と円形の折曲部１２２とからなるコップ挿入部１２を設ける。食品載せ部１３を複数個設ける。食品載せ部１３同士の仕切りは、堤部１３３で形成する。堤部１３３の両脇が側部１３２になる。又、堤部１３３は、基板１の補強リブの働きもして、強度向上の効果もある。堤部１３３は、高さが大の方が補強効果大である。親指挿入部１１の向きは、円の中心よりも外側に向ける。基板１の材料は、厚手のアルミ箔でもよい。補強リブやしわを入れてもよい。
【００５３】
（Ｂ）は、（Ａ）のＸ―Ｘ線断面図である。食品載せ部１３の側部１３２が基板１に対して鈍角で、食品載せ部１３間の境界が堤部１３３により形成されており、縁部１６の傾斜が側部１３２よりも緩い(水平に近い)ことを示す。実施例４のものは、積み重ね可能である。
【００５４】
縁部１６に名前を書いてもよい。親指挿入部１１の反対側に外側から中心に向かって書くと、他の参加者が名前を読み易い。
【００５５】
親指挿入部１１やコップ挿入部１２は、切れ目を切り開かずそのままにしておいて、食品載せ部１３として使用してもよい。
【産業上の利用可能性】
【００５６】
本発明の立食パーティー用盆に可変の簡易皿は、紙皿と同様に使い捨ての皿と少々手を加えることにより、立食パーティー用の盆との両方に適用できる。
【符号の説明】
【００５７】
１…………基板
１１………親指挿入部
１１１……切れ目
１１２……折曲部
１１３……折曲片
１２………コップ挿入部
１２１……切れ目
１２２……折曲部
１３………食品載せ部
１３１……底部
１３２……側部
１３３……堤部
１４………掬い具収納部
１４１……底部
１４２……側部
１４３……側壁
１４４……掬い具固定切れ目
１５………大側壁
１５１……水平部
１５２……垂下部
１６………縁部
２…………コップ
３…………手
３１………親指
４…………食品
【図１】
0005487184.tif 000002
【図２】
0005487184.tif 000003
【図３】
0005487184.tif 000004
【図４】
0005487184.tif 000005